(57)【要約】【課題】面内方向及び面外方向の振動が生じても常に防煙たれ壁としての性能を維持しつつ防煙面材の位置が適切に保たれる防煙たれ壁の構造を提供すること。【解決手段】防煙たれ壁５は、天井１に上端部である上枠１２が固定され、壁２と壁２の間に防煙区画を形成する防煙パネル１０と、壁２に固定され、防煙パネル１０の壁２に対向する側の側部である縦枠１４を該防煙パネル１０の厚み方向で挟む部分が弾性変形可能な壁面縦枠５０と、壁面縦枠５０の内側で縦枠１４から壁２側に向かって延びる不燃シート５１と、を備える。【選択図】図５
2018015145.tif 000002
【特許請求の範囲】
【請求項１】
天井に上端部が固定され、壁と壁の間に防煙区画を形成する防煙面材と、
前記壁に固定され、前記防煙面材の前記壁側の側部を該防煙面材の厚み方向で挟む部分が弾性変形可能な壁面縦枠と、
前記壁面縦枠の内側で前記側部から前記壁側に向かって延びる不燃面材と、
を備える防煙たれ壁。
【請求項２】
前記壁面縦枠は、前記防煙面材を厚み方向で挟む間隔が前記壁から離れるに従って狭まるように形成される請求項１に記載の防煙たれ壁。
【請求項３】
前記不燃面材は、可撓性を有し、その横方向の長さが前記側部と前記壁の間の隙間以上に設定される請求項１又は２に記載の防煙たれ壁。
【請求項４】
前記防煙面材は、前記側部を含む枠部材及び前記枠部材における前記防煙面材の厚み方向の一側を向く一側面に固定される防煙シートを有し、
前記不燃面材は、前記側部における前記防煙面材の厚み方向の他側を向く他側面から壁側に延びるように固定される請求項１から３の何れかに記載の防煙たれ壁。
【発明の詳細な説明】
【技術分野】
【０００１】
本発明は、防煙区画を形成する防煙たれ壁に関する。
【背景技術】
【０００２】
従来、煙の流動を防ぐために建物内部に設置される防煙たれ壁において、地震等の振動を吸収するための部材を備えるものが知られている。この種の防煙たれ壁を開示するものとして例えば特許文献１や特許文献２がある。
【０００３】
特許文献１には、天井面に配設された取付レールと、その上端が取付レールに取り付けられて吊下げられたガラス製の防煙板と、該防煙板の両側方に配置されるとともに、同防煙板の端部に沿って接触、かつ可撓可能に構成された端部押え部とを備える防煙垂壁について記載されている。また、特許文献２には、仕切防煙垂壁の左右両端部に設け、かつ、断面形状をＨ型形状、或いは、略Ｈ型形状に形成した吊り下げボルト用化粧カバーの外側開口部に、軟質板状の緩衝部材を、嵌着部材を介して嵌着して設けた仕切防煙垂壁について記載されている。
【先行技術文献】
【特許文献】
【０００４】
【特許文献１】特開２０１３−２２６１８３号公報
【特許文献２】実用新案登録第３１７５７３５号公報
【発明の概要】
【発明が解決しようとする課題】
【０００５】
ガラスの破損等を考慮して不燃性のシートを防煙シートとして用いる場合がある。防煙シートは、その可撓性により、地震等の振動によって面外方向や面内方向の変位が生じた場合にガラス等に比べて歪みや撓みが生じ易くなる。
【０００６】
特許文献１や特許文献２に開示される従来技術には、防煙シートに歪みや撓みが生じない程度まで面外方向及び面内方向の変位を十分に吸収しつつ防煙パネルを適切な位置に保持するという点で改善の余地があった。例えば、振動等により防煙板が前後方向に一旦傾くと、元の適正位置に容易に戻すことができなくなったり、防煙板が面内方向の一側に傾いて壁と防煙板の間に隙間が生じたりするおそれがあった。
【０００７】
本発明は、面内方向及び面外方向の振動が生じても常に防煙たれ壁としての性能を維持しつつ防煙面材の位置が適切に保たれる防煙たれ壁の構造を提供することを目的とする。
【課題を解決するための手段】
【０００８】
本発明は、天井（例えば、後述の天井１）に上端部（例えば、後述の上枠１２）が固定され、壁（例えば、後述の壁２）と壁（例えば、後述の壁２）の間に防煙区画を形成する防煙面材（例えば、後述の防煙パネル１０）と、前記壁に固定され、前記防煙面材の前記壁側の側部（例えば、後述の縦枠１４）を該防煙面材の厚み方向で挟む部分が弾性変形可能な壁面縦枠（例えば、後述の壁面縦枠５０，３５０）と、前記壁面縦枠の内側で前記側部から前記壁側に向かって延びる不燃面材（例えば、後述の不燃シート５１，２５１）と、を備える防煙たれ壁（例えば、後述の防煙たれ壁５，２０５，３０５，４０５）に関する。
【０００９】
前記壁面縦枠は、前記防煙面材を厚み方向で挟む間隔が前記壁から離れるに従って狭まるように形成されることが好ましい。
【００１０】
前記不燃面材は、可撓性を有し、その横方向の長さが前記側部と前記壁の間の隙間以上に設定されることが好ましい。
【００１１】
前記防煙面材は、前記側部を含む枠部材（例えば、後述のパネルフレーム）及び前記枠部材における前記防煙面材の厚み方向の一側を向く一側面に固定される防煙シート（例えば、後述の防煙シート１５）を有し、前記不燃面材は、前記側部における前記防煙面材の厚み方向の他側を向く他側面から壁側に延びるように固定されることが好ましい。
【発明の効果】
【００１２】
本発明によれば、面内方向及び面外方向の振動が生じても常に防煙たれ壁としての性能を維持しつつ防煙面材の位置が適切に保たれる防煙たれ壁の構造を実現できる。
【図面の簡単な説明】
【００１３】
【図１】本発明の一実施形態に係る防煙たれ壁を示す正面図である。
【図２】本実施形態の防煙たれ壁における壁面近くの部分を示す拡大正面図である。
【図３】本実施形態の防煙たれ壁の縦断面図である。
【図４】本実施形態の防煙たれ壁における中間縦枠を含む壁面近くの部分を示す横断面図である。
【図５】第１実施形態の壁面縦枠の内部構造を示す拡大横断面図である。
【図６】第１実施形態の壁面縦枠において面外方向の変位が生じた様子を示す拡大横断面図である。
【図７】第１実施形態の壁面縦枠において面内方向の変位が生じた様子を示す拡大横断面図である。
【図８】第１実施形態の壁面縦枠が脱落した様子を示す拡大横断面図である。
【図９】第２実施形態の壁面縦枠の内部構造を示す拡大横断面図である。
【図１０】第２実施形態の壁面縦枠において面外方向の変位が生じた様子を示す拡大横断面図である。
【図１１】第２実施形態の壁面縦枠において面内方向の変位が生じた様子を示す拡大横断面図である。
【図１２】第２実施形態の壁面縦枠が脱落した様子を示す拡大横断面図である。
【図１３】第３実施形態の壁面縦枠の内部構造を示す拡大横断面図である。
【図１４】第４実施形態の壁面縦枠の内部構造を示す拡大横断面図である。
【図１５】変形例の防煙たれ壁が備える下部緩衝材及びその周囲を示す拡大正面図である。
【発明を実施するための形態】
【００１４】
以下、本発明の好ましい実施形態について図面を参照しながら説明する。なお、本明細書において、「面内方向」とは、防煙たれ壁の面内方向であり、上下方向、左右方向、いわゆる見付方向等を含む方向のことを意味する。また、「面外方向」とは、前後方向、厚み方向、いわゆる見込方向等を含む面の外側を向く方向のことを意味する。
【００１５】
図１は、本発明の一実施形態に係る防煙たれ壁５を示す正面図である。本実施形態の防煙たれ壁５は、建物内部の天井１と壁２の間に防煙区画を形成するものである。
【００１６】
図１に示すように、防煙たれ壁５は、複数の防煙パネル１０と、天井枠２１と、中間縦枠２２と、下部カバー２３と、左右両側の壁面縦枠５０と、を備える。
【００１７】
図２は、本実施形態の防煙たれ壁５における壁面近くの部分を示す拡大正面図である。図３は、本実施形態の防煙たれ壁５の縦断面図である。図４は、本実施形態の防煙たれ壁５における中間縦枠２２を含む壁面近くの部分を示す横断面図である。
【００１８】
図２に示すように、防煙パネル１０は、枠部材としてのパネルフレーム１１と、パネルフレーム１１に保持される防煙シート１５と、を備える。
【００１９】
パネルフレーム１１は、上枠１２、下枠１３及び左右両側の縦枠１４が矩形に枠組みされて構成される。本実施形態では、縦枠１４と上枠１２及び縦枠１４と上枠１２がネジ９２によってそれぞれ連結固定される。
【００２０】
防煙シート１５は、透明又は半透明な不燃性の材料により構成される不燃材である。防煙シート１５としては、例えば、ガラスクロスに塩ビ又は合成樹脂コーティングしたものが主に用いられ、不燃材料であることが必要となる。
【００２１】
防煙パネル１０は、設置される壁間距離に応じてサイズや枚数が設定される。図１に示すように、本実施形態では左右方向（横方向）の一側から順に、防煙パネル１０ａ、防煙パネル１０ｂ，防煙パネル１０ｃの３枚が配置されている。このうち、防煙パネル１０ａ及び防煙パネル１０ｂの横方向のサイズが同じものとなっており、防煙パネル１０ｃは、連設調節用のパネルでありその横方向のサイズが防煙パネル１０ａ及び防煙パネル１０ｂに比べて短いものが用いられている。
【００２２】
天井枠２１は、その断面形状が、長手方向で見たときに下部が開放された略Ｃ字状に形成されており、ネジ９０等により天井１に固定される。本実施形態では、図３に示すように、天井枠２１を固定するネジ９０は、天井２側の取付部材９４を介して固定される。
【００２３】
天井枠２１の内側には、防煙パネル１０の上枠１２が差し込まれる。本実施形態では、ネジ９１により複数個所で天井枠２１に対して上枠１２が固定される。
【００２４】
中間縦枠２２は、防煙パネル１０と防煙パネル１０の間に配置される。この中間縦枠２２の内側に、防煙パネル１０の縦枠１４が差し込まれる。
【００２５】
下部カバー２３は、防煙パネル１０の下枠１３に取り付けられる。本実施形態の下部カバー２３は、防煙パネル１０の下枠１３を内側に挿入した状態でネジ９１により固定される。
【００２６】
本実施形態では、中間縦枠２２は、天井枠２１及び下部カバー２３の内側に差し込まれた状態でネジ９１によって天井枠２１及び下部カバー２３のそれぞれに固定される。
【００２７】
次に、壁面縦枠５０について説明する。なお、以下の説明では、左右方向の一側の壁面縦枠５０及び防煙パネル１０ａを例として説明するが、左右方向の他側の壁面縦枠５０及び防煙パネル１０ｃも同様の構造となっている。
【００２８】
壁面縦枠５０は、ネジ９０等により左右両側の壁２に固定される。本実施形態では、図４に示すように、壁面縦枠５０を固定するネジ９０は、壁２の裏側の取付部材９３を介して固定される。
【００２９】
図５は、第１実施形態の壁面縦枠５０の内部構造を示す拡大横断面図である。図５に示すように、壁面縦枠５０は、平面視における断面形状が略Ｕ字状に形成されている。本実施形態の壁面縦枠５０は、弾性を有するゴム又は樹脂によって構成される。なお、防火性の観点からは不燃性の材料で構成されることが好ましい。
【００３０】
壁面縦枠５０の内側には、防煙パネル１０ａの壁２側の縦枠１４が挿入されており、壁面縦枠５０によって縦枠１４が挟み込まれた状態となっている。また、壁面縦枠５０の内側面であって、防煙パネル１０ａに接触する部分には突部５２が形成される。
【００３１】
図５に示すように、防煙シート１５は、防煙パネル１０の厚み方向の一側面に固定されている。本実施形態における「厚み方向」とは、防煙たれ壁の奥行方向であり、見込方向を意味する。厚み方向の一側面とは見込方向の一側を向く面であり、以下、厚み方向を向く一側面のことを防煙シート１５の取付面１５１として説明する。
【００３２】
壁面縦枠５０に挿入される縦枠１４には、不燃シート５１が取り付けられている。不燃シート５１は、防煙シート１５と同じ材料で構成されている。
【００３３】
第１実施形態の不燃シート５１は、縦枠１４における防煙シート１５の取付面１５１の裏側に位置する裏側面１５２に接着又はネジやプレート等の取付具（図示省略）を介して固定される。この裏側面１５２は、防煙パネル１０の厚み方向の他側を向く面である。
【００３４】
不燃シート５１は、その水平方向の長さが、壁２に対向配置される縦枠１４と壁２の間の距離よりも長く設定されており、湾曲した状態で壁面縦枠５０の内側に納まっている。不燃シート５１は、壁２に近づくにつれて取付面１５１から離れる方向に湾曲している。
【００３５】
図６は、第１実施形態の壁面縦枠５０において面外方向の変位が生じた様子を示す拡大横断面図である。図６に示すように、地震等の振動により防煙パネル１０が面外方向に変位した場合でも、面外方向の変位に応じて壁面縦枠５０が弾性変形した後、変位した縦枠１４を元の位置に戻す復元力が働く。このように、防煙パネル１０の面外方向の変位は、壁面縦枠５０の弾性変形により吸収される。
【００３６】
図７は、第１実施形態の壁面縦枠５０において面内方向の変位が生じた様子を示す拡大横断面図である。図７に示すように、防煙パネル１０が面内方向に変位した場合でも、壁面縦枠５０及び不燃シート５１によって壁２と防煙パネル１０の間の隙間が塞がれる。なお、この状態では、不燃シート５１は防煙パネル１０が適正位置にある状態（図５に示す状態）よりも防煙パネル１０が移動した分、緩やかな湾曲となっている。
【００３７】
振動発生時にも、壁面縦枠５０の内側で防煙パネル１０全体の面内方向の移動が許容されるので、防煙シート１５が撓んだり歪んだりする事態も防止される。また、振動によって一時的に面内方向の一側に変位した場合であっても、防煙パネル１０が壁面縦枠５０に固定されているわけではないので、振動の収束とともに防煙パネル１０が元の位置に戻る又はメンテナンス時に元の位置に容易に戻すことができる。
【００３８】
図８は、第１実施形態の壁面縦枠５０が脱落した様子を示す拡大横断面図である。図８では、火災等により壁面縦枠５０が脱落又は消失した状態が示されている。図８に示すように、壁面縦枠５０が無くなることにより、壁面縦枠５０に押さえられていた不燃シート５１が伸長して壁２に接触する状態となる。従って、壁面縦枠５０が脱落したとしても、不燃シート５１が防煙パネル１０の縦枠１４と壁２の間の隙間が塞がれ、防煙機能は維持される。
【００３９】
以上説明した第１実施形態の防煙たれ壁５によれば、以下のような効果を奏する。
防煙たれ壁５は、天井１に上端部である上枠１２が固定され、壁２と壁２の間に防煙区画を形成する防煙パネル１０と、壁２に固定され、防煙パネル１０の壁２に対向する側の側部である縦枠１４を該防煙パネル１０の厚み方向で挟む部分が弾性変形可能な壁面縦枠５０と、壁面縦枠５０の内側で縦枠１４から壁２側に向かって延びる不燃シート５１と、を備える。
【００４０】
これにより、面外方向の変位が生じて防煙パネル１０が一時的に面外方向の一側に傾いたとしても、弾性変形可能な壁面縦枠５０の復元力により、防煙パネル１０の位置が元の位置に戻る、又はメンテナンス時に容易に元の位置に戻すことができる。
また、縦枠１４が防煙パネル１０に固定されているわけではないので、面内方向の変位が生じても防煙シート１５に歪みや撓みが生じ難くなっている。
また、防煙パネル１０が一時的に面内方向の一側に傾いたとしても不燃シート５１が壁面縦枠５０の内側で防煙パネル１０と壁面縦枠５０の隙間を塞ぐので、防煙性能を維持できる。更に、メンテナンス時にも面内方向の一側に傾いた防煙パネル１０を元の位置に容易に戻すことができる。
また、壁２が傾いていたとしても、その傾きを壁面縦枠５０の内側で吸収し、壁面縦枠５０の内側においても不燃シート５１が存在するので隙間が形成されることもなく、取付位置の調整も容易である。
このように、面外方向及び面内方向の振動が生じても防煙パネル１０を適切な位置に維持又は戻すことができる防煙たれ壁５の構造をシンプルな構成で実現することができる。
【００４１】
また、本実施形態の不燃シート５１は、可撓性を有し、その横方向（水平方向）の長さが縦枠１４と壁２の間の隙間以上に設定され、壁面縦枠５０の内側に湾曲した状態で収容される。
【００４２】
これにより、壁面縦枠５０が脱落したとしても、不燃シート５１が脱落した壁面縦枠５０の規制から開放され、復元力により壁２に接触して縦枠１４と壁２の間の隙間を塞ぐ。従って、火災等で弾性変形可能に構成される壁面縦枠５０が消失したとしても、不燃シート５１によって隙間が自動的に塞がれるので、防煙性能を維持することができる。
【００４３】
また、本実施形態の防煙パネル１０は、縦枠１４を含むパネルフレーム１１及びパネルフレーム１１の取付面１５１に固定される防煙シート１５を有する。不燃シート５１は、縦枠１４における防煙パネル１０の裏側面１５２から壁２側に延びるように固定される。
【００４４】
これにより、パネルフレーム１１の防煙シート１５が固定される面とは反対側である厚み方向の裏側面１５２で不燃シート５１の固定面積（接着面積）を大きく確保できる。また、縦枠１４に不燃シート５１を固定するだけで壁２際に配置される防煙パネル１０を構成できるので、壁際以外の他の場所に配置される防煙パネル１０と部品の共通化を行うことができ、製造コスト低減に寄与できる。
【００４５】
次に、第１実施形態の構成と異なる別実施形態について説明する。なお、以下の説明において、既に説明した構成と同様のものには同じ符号を付してその説明を省略する場合がある。
【００４６】
第２実施形態の防煙たれ壁２０５について説明する。図９は、第２実施形態の壁面縦枠５０の内部構造を示す拡大横断面図である。
【００４７】
図９に示すように、第２実施形態の防煙たれ壁２０５は、防煙シート２１５と不燃シート２５１が一体的な構成となっている。不燃シート２５１は、防煙シート２１５を延在した部分であり、縦枠１４の取付面１５１から途切れることなく壁面縦枠５０の内側まで延びており、湾曲した状態で収容されている。従って、第１実施形態の不燃シート５１とは平面視において反対の方向に湾曲している。
【００４８】
図１０は、第２実施形態の壁面縦枠５０において面外方向の変位が生じた様子を示す拡大横断面図である。図１１は、第２実施形態の壁面縦枠５０において面内方向の変位が生じた様子を示す拡大横断面図である。
【００４９】
図１０及び図１１に示すように、第２実施形態の防煙たれ壁２０５においても、面外方向及び面内方向の変位が生じても防煙パネル１０ａの振動が吸収又は許容され、防煙シート２１５に歪みや撓みが発生したり、隙間が生じたりする事態を効果的に防止できる。
【００５０】
図１２は、第２実施形態の壁面縦枠５０が脱落した様子を示す拡大横断面図である。図１２に示すように、壁面縦枠５０が脱落した場合であっても、防煙シート２１５の延長部分でもある不燃シート２５１が延びて壁２に接触し、縦枠１４と壁２の間の隙間が不燃材によって覆われる。
【００５１】
以上説明したように、第２実施形態の壁面縦枠５０においても、第１実施形態と同様に、面内方向及び面外方向の振動が生じても防煙面材の位置が適切に保たれる防煙たれ壁の構造を実現できる。
【００５２】
図１３は、第３実施形態の壁面縦枠３５０の内部構造を示す拡大横断面図である。第３実施形態の防煙たれ壁３０５は、壁面縦枠３５０の形状が第１実施形態の壁面縦枠５０と異なっている。図１３に示すように、壁面縦枠３５０は、その防煙パネル１０ａの縦枠１４を挟む部分が先細状になっている点が異なっている。壁面縦枠３５０は、その厚み方向を向く面がそれぞれ壁２から離れるにつれて内側に傾くテーパ形状となっているのである。
【００５３】
このように、第３実施形態の壁面縦枠３５０は、防煙パネル１０を厚み方向で挟む間隔が壁２から離れるに従って狭まるように形成される。
【００５４】
これにより、シンプルな構成で壁面縦枠３５０による防煙パネル１０の把持力を向上させることができ、面外方向及び面内方向の変位が大きくなっても防煙パネル１０が壁面縦枠３５０から完全に離れる事態を効果的に防止できる。
【００５５】
図１４は、第４実施形態の壁面縦枠３５０の内部構造を示す拡大横断面図である。図１４に示すように、第４実施形態の防煙たれ壁４０５は、第２実施形態の防煙シート２１５及び不燃シート２５１の構成と、第３実施形態の壁面縦枠３５０の構成と、を組み合せたものである。第４実施形態の防煙たれ壁４０５においても、第１実施形態と同様に、面外方向及び面内方向の変位が生じても防煙パネル１０ａの振動が吸収又は許容され、防煙シート２１５に歪みや撓みが発生したり、隙間が生じたりする事態を効果的に防止できる。
【００５６】
以上、本発明の好ましい実施形態について説明したが、本発明は、上述の実施形態に制限されるものではなく、適宜変更が可能である。例えば、上記実施形態では、壁面縦枠５０は、弾性を有するゴム又は樹脂によって構成される例を説明したが、防煙面材の側部を挟み込む部分に金属製の部材を用いてバネ材の弾性変形を利用する構成としてもよい。
【００５７】
また、上記実施形態は、以下のように構成することもできる。図１５は、変形例の防煙たれ壁が備える下部緩衝材５５１及びその周囲を示す拡大正面図である。図１５に示すように、下部カバー５２３は、その長さが壁２に接触しない長さに設定されている。そして、壁面縦枠５０（壁面縦枠３５０）の下方であって壁２と下部カバー５２３の間には、下部緩衝材５５１が配置される。
【００５８】
下部緩衝材５５１は、壁面縦枠５０（壁面縦枠３５０）と同様の材料し、即ち、弾性を有するゴム又は樹脂によって構成される。下部緩衝材５５１は、左右方向で見た断面形状が略Ｕ字状に形成されており、その開口部分に下部カバー５２３の壁側の端部を挟み込むとともに、壁面縦枠５０（壁面縦枠３５０）の下端部を挟むことができるように構成される。本実施形態では、壁面縦枠５０（壁面縦枠３５０）に嵌め込み固定される。
【００５９】
本実施形態の下部緩衝材５５１は、その先端の間隔が上方に向かうにつれて狭まるように形成されており、壁面縦枠５０（壁面縦枠３５０）の下部、下部カバー５２３の壁側の端部又はその両方を確実に挟むことができるようになっている。なお、下部緩衝材５５１は、場合によっては先端の間隔が狭まらない形状としてもよい。
【００６０】
下部緩衝材５５１は、壁面縦枠５０（壁面縦枠３５０）の下方に配置されることにより、壁２と下部カバー５２３の隙間を塞ぐ構造となっている。これにより、地震等の振動により下部カバー５２３が壁２に接触して壁２が破損する事態を効果的に防止することができる。壁２の損傷を防ぐ観点からは、下部カバー５２３は、壁２から離れるようにして長さ設定されることが好ましい。そして、壁２側に位置する下部緩衝材５５１は、壁面縦枠５０（壁面縦枠３５０）と同様な材質であることが好ましい。
【符号の説明】
【００６１】
１  天井
２  壁
５，２０５，３０５，４０５  防煙たれ壁
１０  防煙パネル（防煙面材）
１１  パネルフレーム（枠部材）
１２  上枠（上端部）
１４  縦枠（側部）
１５，２１５  防煙シート
５０，３５０  壁面縦枠
５１，２５１  不燃シート（不燃面材）
【図１】
2018015145.tif 000003
【図２】
2018015145.tif 000004
【図３】
2018015145.tif 000005
【図４】
2018015145.tif 000006
【図５】
2018015145.tif 000007
【図６】
2018015145.tif 000008
【図７】
2018015145.tif 000009
【図８】
2018015145.tif 000010
【図９】
2018015145.tif 000011
【図１０】
2018015145.tif 000012
【図１１】
2018015145.tif 000013
【図１２】
2018015145.tif 000014
【図１３】
2018015145.tif 000015
【図１４】
2018015145.tif 000016
【図１５】
2018015145.tif 000017